(57)【要約】      （修正有）【課題】光の漏れが少ない液晶表示装置のバックライト構造を提供する。【解決手段】液晶表示装置の下面に拡散シート、導光板、反射体を積層して収納するボックス状の保持枠を備え、該保持枠の対向する側壁の少なくとも一方側の側壁内の底部に側壁に沿って開口部を設け、ＦＰＣ３１に設けたＬＥＤ３４をスペーサシート８６を挟んで前記保持枠の開口部に挿入して前記導光板の側面にＬＥＤ３４を配置したバックライト付液晶表示装置において、前記スペーサシート８６は反射面と、前記ＬＥＤ３４が取り付かれる位置に複数の切れ目を有しており、該切れ目にＬＥＤ３４を差し込んで前記保持枠の開口部に挿入して前記導光板の側面にＬＥＤ３４を配置する。スペーサシート８６の複数の切れ目によって生じた切片８６ｂがＬＥＤ３４を差し込んだときに折れ曲がってＬＥＤ３４の外側面に当接するから、ＬＥＤ３４の周辺に隙間が発生せず、光が漏れない。【選択図】図４
2005092000.tif 000002
【特許請求の範囲】
【請求項１】
液晶表示装置の下面に拡散シート、導光板、反射体を積層して収納するボックス状の保持枠を備え、該保持枠の対向する側壁の少なくとも一方側の側壁内の底部に側壁に沿って開口部を設け、ＦＰＣに設けたＬＥＤをスペーサシートを挟んで前記保持枠の開口部に挿入して前記導光板の側面にＬＥＤを配置したバックライト付液晶表示装置において、前記スペーサシートは反射面と、前記ＬＥＤが取り付かれる位置に複数の切れ目を有しており、該切れ目にＬＥＤを差し込んで前記保持枠の開口部に挿入して前記導光板の側面にＬＥＤを配置したことを特徴とするバックライト付液晶表示装置。
【請求項２】
液晶表示装置の下面に拡散シート、導光板、反射体を積層して収納するボックス状の保持枠を備え、該保持枠の対向する側壁の少なくとも一方側の側壁内の底部に側壁に沿って開口部を設け、ＦＰＣに設けたＬＥＤをスペーサシートを挟んで前記保持枠の開口部に挿入して前記導光板の側面にＬＥＤを配置したバックライト付液晶表示装置において、前記スペーサシートは反射面と、前記ＬＥＤが取り付かれる位置に開口部と、該開口部につながる複数の切れ目を有しており、該切れ目にＬＥＤを差し込んで前記保持枠の開口部に挿入して前記導光板の側面にＬＥＤを配置したことを特徴とするバックライト付液晶表示装置。
【請求項３】
前記スペーサシートの複数の切れ目によって生じた切片は前記ＬＥＤを差し込んだときに折れ曲がってＬＥＤの外側面に当接していることを特徴とする請求項１又は２に記載のバックライト付液晶表示装置。
【発明の詳細な説明】
【技術分野】
【０００１】
本発明は、バックライト付液晶表示装置のバックライトの取付構造に関する。
【背景技術】
【０００２】
従来、液晶表示装置のバックライト構造に関し、表示装置によって色々な構造のものが用いられている。その一つに、下記の特許文献１に開示された構造のものがある。
【０００３】
【特許文献１】特開２００１−２６４７５１号公報
【０００４】
図８は上記特許文献１に示されたバックライト付液晶表示装置を展開した平面図、図９は、同じく、液晶表示装置の裏面を示す平面図、図１０は、同じく、バックライト付液晶表示装置の要部断面図、図１１は図９における液晶表示装置の要部断面図を示したものである。
【０００５】
図８、図９、図１０、図１１より、このバックライト付液晶表示装置２０のバックライト構造は、ドライバＩＣ２ａ、２ｂを実装した液晶表示装置１０にＬＥＤチップ４を２個実装した帯状のＦＰＣ（Flexible Print Circuit）３が取付いていて、ＦＰＣ３を折り曲げて液晶表示装置１０の裏面側に配設した導光部材７の裏面側に回し込んでいる。そして、ＦＰＣ３に実装したＬＥＤチップ４をちょうど導光部材７の側面に配置する構造になっている。この導光部材７は導光板と光反射シートとプリズムシートから成っており、側面から入射したＬＥＤチップ４の光が導光部材７の上面側に放射して液晶表示装置１０を照明する構造となっている。
【０００６】
ＦＰＣ３は、液晶表示装置１０と接合する接合部３ａとプリント基板（図中略）と接続するためのコネクタ用端子部３ｂを有しており、更に、このＦＰＣ３は両面配線タイプになっていて、上面側にはＬＥＤチップ４が２個、下面側には各種の回路部品５ａ、５ｂ、５ｃなどが実装されている。
【０００７】
また、液晶表示装置１０は、図１１に示すように、上面に信号電極１２ａを形成した信号基板１１ａと、下面に走査電極１２ｂを形成した走査基板１１ｂとが対向して配置されており、シール材１５を介して液晶材料１３を封入した構造になっている。また、信号基板１１ａには延設部１１ａ１を有し、その延設部１１ａ１にＦＰＣ接続端子１６が形成され、更に、ドライバＩＣ２ａが実装されている。ＦＰＣ３はＦＰＣ接続端子１６と異方性導電膜を介して取付けられるようになっている。また、信号基板１１ａの下面には偏光板・位相差板１７ａが、走査基板１１ｂの上面には偏光板・位相差板１７ｂが設けられている。
【０００８】
上記の構造においては、ＦＰＣ３に２個のＬＥＤチップ４を並列に取り付けているが、液晶表示装置のサイズが大きくなってくると数多くのＬＥＤチップを設けなければならない。液晶表示装置に接続する導通パターンを設けた帯状のＦＰＣに、このように、数多くのＬＥＤチップを並べて取り付ける構造は帯幅の広いＦＰＣが必要とされる。このことは、部品コストを高くすると共に、ＦＰＣを配設するに広いスペースを必要とする。
【０００９】
そこで、本出願人はこれらの問題を解決する方法を見いだし、下記の非特許文献２において、その構造を開示した。
【００１０】
【非特許文献２】特願２００３−１８６０４４号
【００１１】
以下、上記非特許文献２に示されたその構造を図１２〜図１８を用いて説明する。図１２はバックライト付液晶表示装置の要部断面図、図１３は図１２におけるバックライト構造部分の分解斜視図、図１４は図１２におけるＦＰＣの展開平面図、図１５は図１４におけるＦＰＣを折り曲げた状態を示す平面図、図１６は図１２におけるＦＰＣの要部断面図、図１７は図１４におけるＦＰＣにＬＥＤを取り付けたところの要部断面図、図１８は図１２における液晶表示装置を下面側から見た平面図を示している。
【００１２】
図１２より、このバックライト付液晶表示装置７０は、液晶表示装置１０の下面に光の拡散シート４２、導光板４３、光の反射体４４が積層して配設されている。そして、これらの構成部品をボックス状の保持枠４１でもって保持固定している。また、液晶表示装置１０にはＦＰＣ３１が異方導電接着剤を介して接着固定されている。
【００１３】
ここでのＦＰＣ３１は図１４に示す形状を取っている。ＦＰＣ３１は、点線枠Ｃで囲った部分の、液晶表示装置１０に導通する複数の導通パターン３１ｃを縦長に整列形成した帯状のパターン集合部３１ａと、この帯状のパターン集合部３１ａの図中右片端から横に枝状に張り出した、点線枠Ｄで囲った部分の、略Ｔの字形の突出部３１ｅとから成っている。また、突出部３１ｅは枝元部３１ｆと先端部３１ｇから成り、枝元部３１ｆと先端部３１ｇでもって略Ｔの字形の形状を作っている。そして、先端部３１ｇにはＬＥＤ３４が、図中では４個並列して取付けてある。この４個のＬＥＤ３４には２本の導通パターン３１ｄが接続しており、その導通パターン３１ｄは突出部３１ｅの先端部３１ｇから枝元部３１ｆを通って帯状のパターン集合部３１ａに延びている。
【００１４】
図１５はＦＰＣ３１の突出部３１ｅを折り曲げた状態を示していて、点線丸枠Ｅで囲った部分が折り曲げ部で、枝元部３１ｆの部分を９０度にひねって曲げている。９０度にひねって曲げているので、図１４でＦＰＣ３１の上面側に取り付けたＬＥＤ３４は図１５では裏面側にきている。そして、この折り曲げたＦＰＣ３４を液晶表示装置１０に取り付けると、図１３に示すごとく、ＬＥＤ３４は上面側に向いた状態に配置される。このＦＰＣ３１は、図１６に示すように、ポリイミド樹脂からなるベースフィルム５８、樹脂接着剤からなる接着層５７、銅箔からなる導通パターン５６、半田メッキからなる接続層５３、樹脂接着剤からなる接着層５５、樹脂からなるカバーレイ５４などが積層して構成されている。厚みは全体で略０．１３ｍｍの厚みであるので比較的自由にひねり曲げたり、折り曲げたりすることができるようになっている。ＬＥＤ３４はＦＰＣ３１の先端部３１ｇの上記構成を取る接続層５３に半田付けされて取り付けられるが、図１７に示すように、ＬＥＤ３４の外周域に少し半田がはみ出した状態で半田付けされる。
【００１５】
保持枠４１は、図１３、図１８に示すように、底には、ＬＥＤが配設される側の側壁に沿って、長穴からなる第一の開口部４１ｂが設けられている。また、側壁の下面は、第一の開口部に沿って、底面と同じ高さで切込部４１ａが設けられている。また、保持枠４１の下面で、ＦＰＣ３１の枝元部３１ｆをひねり曲げる部位を配する位置近傍に開口部４１ｃを設けてあり、この開口部４１ｃの中にＦＰＣ３１の折り曲げ部分が収納されるようになっている。
【００１６】
反射体４４には切欠部４４ａが、保持枠４１の第一の開口部４１ｂに沿った形で、図中では４個設けられている。この切欠部４４ａはＬＥＤ３４の個数分設けてあり、この切欠部４４ａにＬＥＤ３４を差込んで、切欠部４４ａから突出させることによってＬＥＤ３４を導光板４３の側面に配置できるようにしている。
【００１７】
図１３において、７６は絶縁性の樹脂フィルムからなるスペーサシートである。このスペーサシート７６は、ＬＥＤ３４や先端部３１ｇの落ち着き具合を安定させるために、ＦＰＣ３１の先端部３１ｇと保持枠４１の側壁下面及び反射体４４の下面との間に設けている。このスペーサシート７６は、ＬＥＤ３４を半田付けした半田３５の高さとちょうど同じ位か、それよりも僅かに厚い位の厚みを有しており、ちょうどＬＥＤ３４と半田３５が通る抜ける大きさの開口部７６ａを有したシートになっている。
【００１８】
ＦＰＣ３１の先端部３１ｇに設けたＬＥＤ３４をスペーサシート７６の開口部７６ａに差し込み、更に、反射体４４の切欠部４４ａに差し込むことによってＬＥＤ３４を保持枠４１の開口部４１ｂから導光板４３の側面の位置に配置するようになっている。
【００１９】
そして、ＬＥＤ３４を取付けたＦＰＣ３１の先端部３１ｇは図中丸印で示したＡの部位で略９０度に折り曲げられて、側壁の外面にあてがわれ、粘着テープ４５で保持枠４１の側壁と下面に固定されている。この固定によってＬＥＤ３４が動かないようになっている。
【００２０】
このようなバックライト構造を取り、図１４に示すようなＦＰＣ形状にすれば、ＦＰＣの帯状の幅をＬＥＤの数に関係なく一定の幅にでき、コストを下げる効果を生むとされている。非特許文献２によれば、ＬＥＤを４個以上配置するような場合はＦＰＣのコストメリットが現れるとされている。更に、ユニット化できて運搬作業や組立作業での作業し易さなどの効果も生んだとされている。
【発明の開示】
【発明が解決しようとする課題】
【００２１】
しかしながら、上記構造を取るバックライト構造にあっては次のような問題を有する。反射体４４の切欠部４４ａ、及びスペーサシート７６の開口部７６ａの大きさ（面積）をＬＥＤ３４の周辺域に付着した半田３５の大きさ（面積）以上の大きさにする必要がある。また、ＬＥＤ３４の半田付けに位置ズレなどが発生する。これらのことを考慮して設計するので、どうしてもＬＥＤ３４と反射体４４やスペーサシート７６との間に隙間が発生する。そして、この隙間から光が外に漏れると云う問題が現れる。このため、この漏れる光の分だけ光源の光の利用率が低下するという問題がある。
【００２２】
カメラなどに用いられるバックライト付液晶表示装置は光が外部に漏れない構造が特に求められている。しかしながら、上記述べた構造はそれに十分応えられる構造にはなっていない。
【００２３】
本発明は、上記の課題に鑑みてなされたもので、ＬＥＤの配置部位を完全に遮光すると共に、ＬＥＤの光を有効に利用して液晶表示を更に明るくすることを目的とするものである。
【課題を解決するための手段】
【００２４】
上記の目的を達成するために、本発明の請求項１に記載の発明は、液晶表示装置の下面に拡散シート、導光板、反射体を積層して収納するボックス状の保持枠を備え、この保持枠の対向する側壁の少なくとも一方側の側壁内の底部に側壁に沿って開口部を設け、ＦＰＣに設けたＬＥＤをスペーサシートを挟んで保持枠の開口部に挿入して導光板の側面にＬＥＤを配置したバックライト付液晶表示装置において、スペーサシートは反射面と、ＬＥＤが取り付かれる位置に複数の切れ目を有しており、この切れ目にＬＥＤを差し込んで保持枠の開口部に挿入して導光板の側面にＬＥＤを配置したことを特徴とするものである。
【００２５】
また、本発明の請求項２に記載の発明は、液晶表示装置の下面に拡散シート、導光板、反射体を積層して収納するボックス状の保持枠を備え、この保持枠の対向する側壁の少なくとも一方側の側壁内の底部に側壁に沿って開口部を設け、ＦＰＣに設けたＬＥＤをスペーサシートを挟んで保持枠の開口部に挿入して導光板の側面にＬＥＤを配置したバックライト付液晶表示装置において、スペーサシートは反射面と、開口部と、この開口部につながる複数の切れ目を有しており、この切れ目にＬＥＤを差し込んで保持枠の開口部に挿入して保持枠の側面にＬＥＤを配置したことを特徴とするものである。
【００２６】
また、本発明の請求項３に記載の発明は、上記のスペーサシートの複数の切れ目によって生じた切片は、切れ目にＬＥＤを差し込んだときに折れ曲がってＬＥＤの外側面に当接していることを特徴とするものであ。
【発明の効果】
【００２７】
ＬＥＤはＦＰＣに半田付けされて取付けられる。従って、ＬＥＤはこの半田によってＦＰＣ表面から少し浮いた状態に取り付けられる。また、ＦＰＣの半田パターンはＬＥＤの大きさより大き目に設計されるのでＬＥＤの周りにも半田が付着する。このままの状態で保持枠の開口部に挿入して固定したのでは安定性が良くない。安定性を良くするためにスペーサシートを挟んで固定する方法を取る。そこで本発明は、このスペーサシートのＬＥＤが取り付かれる位置に複数の切れ目を設け、その切れ目にＬＥＤを差し込む方法を取る。切れ目によって発生する切片が折れ曲がってＬＥＤの外側面に当接する。このことにより、半田付けしたＬＥＤの周りには隙間が発生しない。更に、スペーサシートの表面に反射面を設けることによって、ＬＥＤの光がスペーサシートによって反射されるので光が漏れることなく有効に利用できる。
【００２８】
ここで、ＬＥＤは指向特性を持っており、ＬＥＤから放射される光には指向角を持っている。従って、ＬＥＤの側壁面に沿ってめくれ上がった切片が指向角に影響を及ぼさないようにしなければならない。そこで、切れ目だけを設けたり、開口部とそれにつながる切れ目を設けたりすることによって指向角への影響を防止する。
【発明を実施するための最良の形態】
【００２９】
以下、本発明のバックライト付液晶表示装置について、特にスペーサシートの取付け構造を主体にして図１〜図７を用いて説明する。図１は本発明の第１実施形態に係るバックライト付液晶表示装置の要部断面図を示している。また、図２は図１におけるスペーサシートの平面図、図３は図２におけるＧ部の拡大図平面図、図４は図３におけるスペーサシートの切れ目にＬＥＤを差し込んだところの拡大斜視図を示している。図５は本発明の第２実施形態に係るバックライト付液晶表示装置のスペーサシートの要部拡大平面図を示しており、図６は図５におけるスペーサシートの切れ目にＬＥＤを差し込んだところの拡大斜視図、図７は図６に示す状態のＬＥＤを組み込んだところのバックライト付液晶表示装置の要部断面図を示している。尚、背景技術で説明した従来例と同一構成部品は同一付号を付して説明する。
【００３０】
本発明のバックライト付液晶表示装置で、前述で図１２、図１３を用いて説明した従来例のバックライト付液晶表示装置と異なるところはスペーサシートの形状のみが異なる。他の構成部品は全て同じのものを使用しており、スペーサシートの取付け構造以外の部分の構造は全く同じ構造を取っている。従って、スペーサシートの取付け構造以外の部分の構造の詳細説明は省略して簡単な説明だけに留めておく。
【００３１】
先ず、本発明の第１実施形態に係るバックライト付液晶表示装置を図１〜図４を用いて説明する。図２、図３に示すように、本発明のバックライト付液晶表示装置８０に使用されるスペーサシート８６は、ＬＥＤ３４が取り付かれる位置に（図中では４箇所）、切れ目８６ａを設けている。この切れ目８６ａは８６ａ１、８６ａ２、８６ａ３、８６ａ４の４本、つながって設けてある。そして、この４本の切れ目８６ａによって３つの切片８６ｂ、即ち、８６ｂ１、８６ｂ２、８６ｂ３が生じている。また、このスペーサシート８６は、柔らかいプラスチックシートなどから成っており、その上面は反射膜が設けられていて光りの反射面になっている。反射膜としてはアルミ箔やアルミ蒸着膜などを用いて形成する。更に、このスペーサシート８６の下面（背面）は遮光性能を有しており、黒色または黒色に近い色の着色プラスチックシート材よりなっている。また、このスペーサシート８６の厚みは、ＬＥＤ３４を半田付けした半田の厚みと同じ位か、僅かに厚い位のシート厚に形成している。
【００３２】
上記スペーサシート８６の切れ目８６ａにＦＰＣ３１の先端部３１ｇに半田付けしたＬＥＤ３４を差し込むと、図４に示すように、３つの切片８６ｂ１、８６ｂ２、８６ｂ３はＬＥＤ３４の発光部３４ａ面側を除く外側面（両側面と裏側面）に沿って折り曲げられる。本実施の形態では、ＬＥＤ３４の発光部３４ａのある面側には切片が発生しないような形状の切れ目を選択している。スペーサシート８６とＦＰＣ３１の先端部３１ｇとはＬＥＤ３４を差し込んだ後、接着剤もしくは両面粘着テープを介して接着固定されるので、組立後動くことはない。。
【００３３】
本発明のバックライト付液晶表示装置８０は、図１に示すように、液晶表示装置１０の下面に拡散シート４２、導光板４３、反射体４４を積層し、保持枠４１でもって保持固定している。このところの構造は、前述の従来例で図１２、図１３で説明した構造と同じ構造を取っている。また、液晶表示装置１０にはＦＰＣ３１が取り付けられており、このＦＰＣ３１は湾曲に折り曲げられて保持枠４１の下面に引き回されている。このＦＰＣ３１は、前述の従来例で図１４、図１５で説明した構成と同じ構成を取っている。
【００３４】
ここで、前述したように、ＦＰＣ３１の先端部３１ｇに半田付けで取り付けられたＬＥＤ３４はスペーサシート８６の切れ目８６ａに、図４に示す構造を取って、差し込まれ、ＦＰＣ３１の先端部３１ｇとスペーサシート８６とが一体的に固定される。そして、一体的になったスペーサシート８６並びにＦＰＣ３１の先端部３１ｇと共にこのＬＥＤ３４を保持枠４１の開口部４１ｂに挿入し、更に、ＬＥＤ３４を反射体４４の切欠部４４ａに差し込んで、ＬＥＤ３４を導光板４３の側面に配置した構造を得る。このとき、スペーサシート８６の３つの切片８６ｂはＬＥＤ３４の外側面に当接した状態で、ＬＥＤ３４と共に反射体４４の切欠部４４ａに差し込まれる。
【００３５】
そして、その後にＦＰＣ３１の先端部３１ｇの一部を９０度に折り曲げて保持枠４１の外壁にあてがい、粘着テープ４５で保持枠４１に固定している。
【００３６】
以上のような構造を取ることによって、スペーサシート８６並びに反射体４４とＬＥＤ３４とに発生する隙間はＬＥＤ３４の発光部面側だけとなる。発光部面以外の外側面にはスペーサシート８６の切片８６ｂが当接しているのでここには隙間は発生せず、しかも、スペーサシート８６は反射面を持っていることから、ここから光が外部に漏れることなく殆どの光は反射されて導光板４３側に放射される。この構造は、スペーサシート８６並びに反射体４４とＬＥＤ３４とに発生する僅かな隙間から光が外部に漏れる可能性が生じるが、前述の従来例と比較すると格段とその量は少なくなる。また、ＬＥＤ３４の発光部面側には切片を設けていないのでＬＥＤ３４の指向角には全く影響を及ばさない。
【００３７】
次に、本発明の第２実施形態に係るバックライト付液晶表示装置について図５、図６、図７を用いて説明する。このバックライト付液晶表示装置に用いられるスペーサシートは、図５に示すように、ＬＥＤが取り付けられる位置に開口部９６ｃと、この開口部につながって４本の切れ目９６ａ、即ち、９６ａ１、９６ａ２、９６ａ３、９６ａ４の切れ目が設けられている。そして、その４本の切れ目９６ａによって４つの切片９６ｂ１、９６ｂ２、９６ｂ３、９６ｂ４の切片が生まれている。
【００３８】
このスペーサシート９６の切れ目９６ａにＬＥＤ３４を差し込むと、図６に示すように、４つの切片は全てＬＥＤ３４の外側面に沿って折り曲げられ、側面に当接する状態になる。従って、この場合はＬＥＤ３４の発光部３４ａ面側にも切片９６ｂ４が当接するようになるが、図５から分かるように、この切片９６ｂ４を形成するところの２本の切れ目９６ａ３、９６ａ４を浅くしてあり、切片９６ｂ４の立ち上がり量を小さく押さえてある。そして、ＬＥＤ３４の指向角に影響を及ぼさないようにしている。
【００３９】
スペーサシート９６の切れ目９６ａにＬＥＤ３４を差し込んだ後、スペーサシート９６とＦＰＣ３１の先端部３１ｇとは接着剤もしくは両面粘着テープを介して接着固定する。このスペーサシート９６付きのＬＥＤ３４を、図７に示すように、保持枠４１の開口部４１ｂに挿入し、更に、反射体４４の切欠部４４ａに差し込んで導光板４３の側面にＬＥＤ３４を配置する。そして、ＦＰＣ３１の先端部３１ｇの一部を９０度に折り曲げて、粘着テープ４５で固定することによってバックライト付液晶表示装置９０を得る。
【００４０】
本実施形態の場合、スペーサシート９６の４つの切片９６ｂがそれぞれＬＥＤ３４の外側面全てに当接する。従って、ＬＥＤ３４の周りには隙間は発生しない。更に、スペーサシート９６の上面は反射面になっているので、殆どの光は反射される。このような構造を取ることによって、光が外部に漏れることはなくなり、有効に光を利用して表示装置の表示面を明るく照明する。特に、発光部が突き出た形状のＬＥＤの場合、発光部の下側にスペーサシート、もしくはスペーサシートの切片が入り込むのでその効果は大きい。
【００４１】
以上、本発明の最良の実施の形態を、スペーサシートの切れ目や開口部について２つの形状を示して説明した。しかしながら、切れ目の形状や開口部の形状はこの２つに限定されるものではなく、種々の形状に設定することができるものである。更に、スペーサシートの切れ目は連続した切れ目で示したが、連続した切れ目でなくても軽い力によって破断する程度のブリッジがあっても構わない。
【００４２】
また、本実施の形態では、ＦＰＣに取り付けたＬＥＤを導光板の一方向側の側面に配置する構造を説明したが、導光板の両側の側面にＬＥＤを配置する構造にすることもできる。この場合は、帯状のＦＰＣの左右両側にＴ字形の突出部を設け、この左右の突出部の先端部に、本実施形態と同じようにして、ＬＥＤを取付けて９０度にひねって折り曲げ、一方の保持枠には、対向する側壁に沿って、本実施形態と同じようにして、二つの開口部を設け、この開口部にＬＥＤを挿入する構造を取ることによって導光板の両側にＬＥＤを配置した構造になる。スペーサシートは上記で述べた仕様のものを２枚使用する。
【産業上の利用可能性】
【００４３】
本発明は、液晶表示装置とバックライト構造をコンパクトにユニット化し、そして、光を外部に漏らさず、光を有効に利用して表示を明るくする構造に関する発明である。バックライト付液晶表示装置を必要とする装置全てに利用出来るものである。
【図面の簡単な説明】
【００４４】
【図１】本発明の第１実施形態に係るバックライト付液晶表示装置の要部断面図である。
【図２】図１におけるスペーサシートの平面図である。
【図３】図２におけるＧ部の拡大図平面図である。
【図４】図３におけるスペーサシートの切れ目にＬＥＤを差し込んだところの拡大斜視図である。
【図５】本発明の第２実施形態に係るバックライト付液晶表示装置に使用するスペーサシートの要部拡大平面図である。
【図６】図５におけるスペーサシートの切れ目にＬＥＤを差し込んだところの拡大斜視図である。
【図７】図６に示す状態のＬＥＤを組み込んだところのバックライト付液晶表示装置の要部断面図である。
【図８】特許文献１に示されたバックライト付液晶表示装置を展開した平面図である。
【図９】特許文献１に示されたバックライト付液晶表示装置の裏面を示す平面図である。
【図１０】特許文献１に示されたバックライト付液晶表示装置の要部断面図である。
【図１１】図９における液晶表示装置の要部断面図である。
【図１２】非特許文献２に示されたバックライト付液晶表示装置の要部断面図である。
【図１３】図１２におけるバックライト構造部分の分解斜視図である。
【図１４】図１２におけるＦＰＣの展開平面図である。
【図１５】図１４におけるＦＰＣを折り曲げた状態を示す平面図である。
【図１６】図１２におけるＦＰＣの要部断面図である。
【図１７】図１４におけるＦＰＣにＬＥＤを取り付けたところの要部断面図である。
【図１８】図１２におけるバックライト付液晶表示装置を下面側から見た平面図である。
【符号の説明】
【００４５】
１０    液晶表示装置  
３１    ＦＰＣ
３１ａ  パターン集合部
３１ｃ  導通パターン
３１ｅ  突出部
３１ｆ  枝元部
３１ｇ  先端部
３４    ＬＥＤ
３４ａ  発光部
３５    半田
４１    保持枠  
４１ａ  切込部
４１ｂ  開口部
４１ｃ  開口部
４２    拡散シート
４３    導光板
４４    反射体
４４ａ  切欠部  
７０、８０、９０  バックライト付液晶表示装置
７６、８６、９６  スペーサシート
７６ａ  開口部
８６ａ、９６ａ  切れ目
８６ｂ、９６ｂ  切片
９６ｃ  開口部
【図１】
2005092000.tif 000003
【図２】
2005092000.tif 000004
【図３】
2005092000.tif 000005
【図４】
2005092000.tif 000006
【図５】
2005092000.tif 000007
【図６】
2005092000.tif 000008
【図７】
2005092000.tif 000009
【図８】
2005092000.tif 000010
【図９】
2005092000.tif 000011
【図１０】
2005092000.tif 000012
【図１１】
2005092000.tif 000013
【図１２】
2005092000.tif 000014
【図１３】
2005092000.tif 000015
【図１４】
2005092000.tif 000016
【図１５】
2005092000.tif 000017
【図１６】
2005092000.tif 000018
【図１７】
2005092000.tif 000019
【図１８】
2005092000.tif 000020